(57)【要約】【課題】  燃料購入価格の変動等に的確に対応して、燃料資産を管理することができる燃料業務処理システム及びこれに用いられるプログラムを提供する。【解決手段】  発電用燃料に関わる業務を電算処理するコンピュータプログラムを格納した燃料部サーバ（３）と、該サーバ（３）にネットワークを介して接続可能なユーザ端末（５ａ，５ｂ，５ｃ，５ｄ）とを含む燃料業務処理システムである。燃料部サーバ（３）は、ユーザ端末（５ａ，５ｂ，５ｃ，５ｄ）側から入力される燃料の単価、受入数量、及び払出数量に関する情報を格納する情報格納部（２１）を有し、コンピュータプログラムは、予め定められた時期に、上記情報に基づいて貯蔵燃料の数量及び資産額を求める。【選択図】  図２
2005301397.tif 000002
【特許請求の範囲】
【請求項１】
発電用燃料に関わる業務を電算処理するコンピュータプログラムを格納したサーバと、該サーバにネットワークを介して接続可能なユーザ端末とを含む燃料業務処理システムにおいて、
前記サーバは、前記ユーザ端末側から入力される前記燃料の単価、受入数量、及び払出数量に関する情報を格納する情報格納部を有し、
前記プログラムは、予め定められた時期に、前記情報に基づいて貯蔵燃料の数量及び資産額を求めることを特徴とする燃料業務処理システム。
【請求項２】
請求項１記載の燃料業務処理システムにおいて、前記プログラムは、前記ユーザ端末側から前記燃料の別の単価が入力されたとき、前記燃料の購入差額を求め、これに基づいて前記貯蔵燃料の資産額を求めることを特徴とする燃料業務処理システム。
【請求項３】
請求項２記載の燃料業務処理システムにおいて、前記プログラムは、前記購入差額に基づいて、燃料購入代金の過不足分を求めることを特徴とする燃料業務処理システム。
【請求項４】
ユーザ端末がネットワークを介して接続可能なサーバに格納され、発電用燃料に関わる業務を電算処理するためのプログラムであって、
(a)  前記ユーザ端末側から前記サーバ側へ送られる前記燃料の単価、受入数量、及び払出数量に関する情報を、前記サーバに備えられた情報格納部に格納するステップと、
(b)  予め定められた時期に、前記情報に基づいて貯蔵燃料の数量及び資産額を求めるステップを含む
ことを特徴とする燃料業務処理プログラム。
【請求項５】
請求項４記載の燃料業務処理プログラムにおいて、
(c)  前記ユーザ端末側から前記燃料の別の単価が入力されたとき、これに基づいて前記燃料の購入差額を求めるステップと、
(d)  前記購入差額に基づいて前記貯蔵燃料の資産額を求めるステップを含む
ことを特徴とする燃料業務処理プログラム。
【請求項６】
請求項５記載の燃料業務処理プログラムにおいて、前記(d)のステップのほかに又は前記(d)のステップに代えて、(e)前記購入差額に基づいて、前記燃料の購入代金の過不足分を求めることを特徴とする燃料業務処理プログラム。
【発明の詳細な説明】
【技術分野】
【０００１】
本発明は、発電用燃料に関わる業務を電算処理するための燃料業務処理システム及びこれに用いられるコンピュータプログラムに関する。
【背景技術】
【０００２】
電力会社が運営する発電所などでは、発電用燃料に関わる種々の業務をシステム化することによって業務の効率化を図っている。従来、この燃料業務は、燃料代の計算及び会計・支払処理を中心とした業務のシステム化にはじまり、情勢の変化に伴って改良や整備が重ねられている。
【０００３】
しかしながら、燃料の調達方法の多様化やガス燃料の新規導入等に伴い、従来のシステムでは対応し切れない部分が発生し、これらを補完するための作業が増大してきた。そこで、電力会社では、昨今の情報処理技術のめざましい発展や発電所へのオンライン端末の設置を契機にして、めまぐるしく変化する情勢に対応でき、かつ燃料業務の効率化を図ることができるシステムの開発に力を注いでいる。
【０００４】
ここで、上記の燃料業務には、例えば、契約管理業務、受払計画業務、受払管理業務、及び燃料資産管理業務などがあり、各々の業務を支援するためのシステムが構築されている。
【０００５】
契約管理業務は、燃料の購入契約に関する情報を管理する業務である。この情報には、例えば、購入数量、購入単価、及び燃料の品質に関するデータなどが含まれる。この業務では、日々の燃料受払及び貯油状況を把握するための燃料速報と呼ばれる帳票等を作成して関係先への配布も行う。
【０００６】
受払計画業務は、発電所別の月次発電計画量に基づいて、燃料の所要量を求めて、当該所要量に基づいて燃料の受払計画の作成等を行う業務である。また、各取引先に送付する購入通知書等の作成も行う。ここで、受払の“受”は、燃料を購入することであり、“受入”と表す場合もある。“払”は、燃料を使用又は他へ販売することであり、“払出”と表す場合もある。
【０００７】
受払管理業務は、燃料の受入・払出数量や品質に関するデータ等を管理する業務を含む。この業務は、燃料の受入・払出が行われるたびに、具体的には、毎日行われるのが通常である。
【０００８】
燃料資産管理業務は、契約管理業務で管理されている燃料の単価データと、受払管理業務で管理されている燃料の受入数量データとに基づいて、各燃料の検収金額を求めたり、各燃料の受入・払出・残高の数量及び資産額を求め、燃料資産を管理する業務等を行う。上記検収金額は、電力会社等の経理業務に用いられる会計データや支払データとして利用される。また、各燃料の受入・払出・残高の数量及び金額の算出は、一般に、月次単位で一括して処理されるが、契約単価又は計上単価の確定又は変更等が生じた場合など、必要に応じて精算処理を行う場合もある。この燃料資産管理業務では、取り扱う情報量が膨大なため、的確かつ迅速な処理を行うことができるように業務の効率化が望まれている。
【０００９】
下記特許文献１には、ＰＣ機器類等の管理対象資産の設置場所の履歴管理と、例えばＰＣ本体の性能やインストールソフトのバージョン等の管理対象資産の仕様の管理とを行って対象資産の一元管理を行うことにより、迅速かつ的確な資産の移設又は引取保管業務を行うことができる「資産管理システム、方法及び記録媒体」が記載されている。
【００１０】
【特許文献１】特開２００２−２０３０９９号公報
【発明の開示】
【発明が解決しようとする課題】
【００１１】
しかしながら、上記特許文献１は、ＰＣ機器類等の設置場所の履歴管理、及びＰＣ本体の仕様の管理等を目的としており、発電用燃料のように、日々行われる燃料の受入・払出や、燃料購入単価等の燃料の購入に関わる契約内容の変更など、種々の情勢変化に応じて数量、品質、及び資産額等が変動する資産の管理を目的としていないため、これをそのまま発電所等における燃料業務に適用することは困難である。
【００１２】
本発明の目的は、燃料の購入に関わる契約内容の変更等に的確に対応して、燃料資産を管理することができる燃料業務処理システム及びこれに用いられるコンピュータプログラムを提供することである。
【課題を解決するための手段】
【００１３】
本発明の燃料業務処理システムは、発電用燃料に関わる業務を電算処理するコンピュータプログラムを格納したサーバと、該サーバにネットワークを介して接続可能なユーザ端末とを含むシステムであって、前記サーバは、前記ユーザ端末側から入力される前記燃料の単価、受入数量、及び払出数量に関する情報を格納する情報格納部を有し、前記プログラムは、予め定められた時期に、前記情報に基づいて貯蔵燃料の数量及び資産額を求めることを特徴とする。
【００１４】
本発明の具体的態様では、前記プログラムは、前記ユーザ端末側から前記燃料の別の単価が入力されたとき、前記燃料の購入差額を求め、これに基づいて前記貯蔵燃料の資産額を求める。
【００１５】
また、前記プログラムは、前記購入差額に基づいて、前記燃料の購入代金の過不足分を求める。
【００１６】
本発明の燃料業務処理プログラムは、ユーザ端末がネットワークを介して接続可能なサーバに格納され、発電用燃料に関わる業務を電算処理するためのプログラムであって、(a)前記ユーザ端末側から前記サーバ側へ送られる前記燃料の単価、受入数量、及び払出数量に関する情報を、前記サーバに備えられた情報格納部に格納するステップと、(b)予め定められた時期に、前記情報に基づいて貯蔵燃料の数量及び資産額を求めるステップを含むことを特徴とする。
【００１７】
本発明の具体的態様では、(c)前記ユーザ端末側から前記燃料の別の単価が入力されたとき、これに基づいて前記燃料の購入差額を求めるステップと、(d)前記購入差額に基づいて前記貯蔵燃料の資産額を求めるステップを含む。
【００１８】
また、前記(d)のステップのほかに又は前記(d)のステップに代えて、(e)前記購入差額に基づいて、前記燃料の購入代金の過不足分を求める。
【発明の効果】
【００１９】
本発明の燃料業務処理システムによれば、発電用燃料に関わる業務を電算処理するコンピュータプログラムを格納したサーバと、該サーバにネットワークを介して接続可能なユーザ端末とを含むシステムを構成し、サーバは、ユーザ端末側から入力される燃料の単価、受入数量、及び払出数量に関する情報を格納する情報格納部を有し、上記プログラムは、予め定められた時期に、上記の情報に基づいて貯蔵燃料の数量及び資産額を求める。これにより、発電用燃料を取り扱う電力会社等は、ユーザ端末から入力された情報に基づいて、燃料資産を管理することができる。
【００２０】
また、上記サーバに格納されたコンピュータプログラムは、ユーザ端末側から燃料の別の単価が入力されたとき、燃料の購入差額を求め、これに基づいて貯蔵燃料の資産額を求めることにより、燃料購入価格の変動等に的確に対応して、燃料資産を管理することができる。この場合、上記購入差額に基づいて、燃料購入代金の過不足分を求めることができる。
【００２１】
本発明の燃料業務処理プログラムによれば、(a)ユーザ端末側からサーバ側へ送られる燃料の単価、受入数量、及び払出数量に関する情報を、サーバに備えられた情報格納部に格納するステップと、(b)予め定められた時期に、上記情報に基づいて貯蔵燃料の数量及び資産額を求めるステップを含むことにより、発電用燃料を取り扱う電力会社等は、ユーザ端末から入力された情報に基づいて、燃料資産を管理することができる。
【００２２】
また、(c)ユーザ端末側から燃料の別の単価が入力されたとき、これに基づいて燃料の購入差額を求めるステップと、(d)当該購入差額に基づいて、貯蔵燃料の資産額を求めるステップを含むことにより、燃料購入価格の変動等に的確に対応して、燃料資産を管理することができる。この場合、上記購入差額に基づいて、燃料購入代金の過不足分を求めることができる。
【発明を実施するための最良の形態】
【００２３】
図１は、電力会社における燃料業務を電算処理するための実施例の燃料業務処理システム１の構成を示す。
【００２４】
この燃料業務処理システム１は、
燃料業務を電算処理するための燃料業務処理プログラムを格納した燃料部サーバ３と、
該サーバ３にネットワークを介して接続可能な複数のユーザ端末（例えば、４つ）５ａ，５ｂ，５ｃ，５ｄと
を含んでおり、上記プログラムは、予め定められた時期に、当該電力会社が購入した燃料の支払代金や貯蔵残高の算出等を行うことによって、燃料資産を管理するようになっている。実施例の燃料業務処理プログラムによる処理については、後で説明する。
【００２５】
ユーザ端末５ａ，５ｂ，５ｃ，５ｄは、例えば、本社（電力事業本部など）、支社、電力センタ、及び発電所に設置されたパソコンであり、燃料部サーバ３内に格納された又は各々の端末５ａ，５ｂ，５ｃ，５ｄに格納されたプログラムに従って、燃料業務に関わるデータ入力等に適した画面が表示されるようになっている。これらの端末５ａ，５ｂ，５ｃ，５ｄがネットワークを介して燃料部サーバ３に接続する際には、所定のユーザＩＤ及びパスワードを入力することによってログインできるようにしておくのがよい。ここで、実施例では、上記画面を表示させるプログラムは、各々のユーザ端末５ａ，５ｂ，５ｃ，５ｄに格納されているものとする。
【００２６】
また、この電力会社の燃料業務処理システム１は、
経理業務に関わるデータが格納されている経理部サーバ７と、
各発電所に設置され、各々の発電所における燃料の受入数量、払出数量及び品質等に関するデータを管理する火力部サーバ９と、
及び安定した電力系統を維持するために必要な設備の設置計画や規則など、発電所の長期的な計画・運用業務に関するデータが格納されている系統運用部サーバ１１との間でデータの受渡しを行うため、ネットワークを介して互いに接続されている。そして、各々のサーバ７，９，１１に格納されている固有の業務処理プログラムに従って各業務を電算処理するための業務処理システムが構築されている。
【００２７】
図２は、実施例の燃料業務処理システム１における主な情報の流れを示す。
【００２８】
燃料部サーバ３は、ユーザ端末５ａ，５ｂ，５ｃ，５ｄ及びその他のサーバ７，９，１１との間で情報の受渡等を行うための手段として、
ネットワークを介してユーザ端末５ａ，５ｂ，５ｃ，５ｄ側及び火力部サーバ９側から入力される種々の情報を格納する情報格納部（例えば、ハードディスク）２１と、
実施例の燃料業務処理プログラムからの命令に従って、予め定められた時期（例えば、毎月末）に、情報格納部２１に格納された情報に基づいて当該電力会社の貯蔵燃料の数量、品質、及び資産額等を求めたり、随時の要求に応じて支払代金の過不足の計算等の精算処理を行ったり、ユーザ端末５ａ，５ｂ，５ｃ，５ｄ側から入力されたデータのチェックリストや必要な帳票等の作成を行う演算部２３と
を備えている。
【００２９】
燃料部サーバ３は、ネットワークを介してユーザ端末５ａ，５ｂ，５ｃ，５ｄ側及びその他のサーバ７，９，１１との間で情報通信を行うための通信手段（図示せず）も備えており、実施例において、燃料部サーバ３における情報の入出力は、この通信手段を介して行われるものとする。
【００３０】
また、演算部２３で求めた受払実績データ、支払データ、及び会計データは、ネットワークを介して接続された他のサーバ７，９，１１側へ適宜送信されるようになっている。
【００３１】
さらに、燃料部サーバ３の情報格納部２１と火力部サーバ９との間では、発電所で実際に使用した燃料（払出数量）等に関する情報の受渡が行われるようになっている。
【００３２】
この燃料業務処理システム１におけるユーザ端末５ａ，５ｂ，５ｃ，５ｄ側からのデータ入力その他の操作について説明する。
【００３３】
まず、ユーザ端末５ａ，５ｂ，５ｃ，５ｄは、ネットワークを介して燃料部サーバ３に接続したとき、各々の端末に格納されたプログラムに従って、燃料業務に関わるデータ入力等に適した画面が表示されるようにするのがよい。この画面には、燃料部サーバ３の情報格納部２１へ入力する情報の内容に対応して、図２の「画面No.」のような番号を付して整理しておくのがよい。各入力画面の内容については、後で説明する。
【００３４】
ユーザ端末５ａ，５ｂ，５ｃ，５ｄ側から燃料部サーバ３の情報格納部２１に格納する情報としては、燃料の購入契約に関する契約情報と、燃料の受払計画の作成に伴って入力される受払計画情報、検収数量、品質、払出数量、及び登録済み単価の訂正等に関する受払実績情報と、燃料銘柄や燃料積出港の名称等を電算処理の便宜のためにコード化して表したコード情報と、契約単価の変更等に伴って精算の必要が生じた費目や期間を特定する精算情報などである。
【００３５】
契約情報には、例えば、取引先との海外炭購入契約で定めた数量、品質、及び単価等に関する海外炭契約情報と、輸送契約にて定めた数量、運賃率等に関する外航輸送情報と、石炭中継基地費用や発電所荷役費用等に関する諸掛契約情報などが含まれる。
【００３６】
受払計画情報には、例えば、発電所別や月別の発電計画量から石炭受払計画を作成する際に入力される石炭受払計画情報と、コールセンター別や銘柄別の転送計画を作成する際に入力されるＣ／Ｃ受払計画情報と、発電所別の購入計画数量や転送計画数量に関するＰ／Ｓ受払計画情報などが含まれる。
【００３７】
受払実績情報には、例えば、海外炭受入時の検収数量や品質等に関する海外炭検収情報、当該検収数量及び契約単価に基づいて算出される検収金額や、これを訂正する際に入力される別の金額等に関する海外炭検収金額情報、コールセンターから発電所への燃料転送数量に関する転送情報、発電所における日々の払出数量に関する払出実績情報などが含まれる。
【００３８】
精算情報は、燃料購入契約にて定めた契約単価の変動等が生じた場合など、精算処理を急遽行う必要が生じたときに入力される情報であり、当該精算処理の対象費目及び期間に関する情報を含んでいる。
【００３９】
上記の各情報には、石炭に関するもののほかに、重油やＬＮＧなど、その他の燃料に関する情報も含まれている。
【００４０】
図３及び図４は、ネットワークを介して燃料部サーバ３に接続したユーザ端末５ａ，５ｂ，５ｃ，５ｄに表示される画面の構成を示す。図に示すように、各端末５ａ，５ｂ，５ｃ，５ｄに表示される画面は、「画面No.」によって整理された階層構造を成しており、いわゆるトップ画面である「メインメニュー画面（画面No.０００）」から「契約管理メニュー（画面No.１００）」、「受払計画メニュー（画面No.２００）」、「受払管理メニュー（画面No.３００）」、「集計処理コントロール画面（画面No.８００）」、又は「コード情報管理メニュー画面（画面No.９００）」に移行し、各メニュー画面から具体的なデータ入力等に適した画面へ遷移するようになっている。
【００４１】
図５は、燃料部サーバ３に格納された実施例の燃料業務処理プログラムによる処理のメインフローチャートを示す。実施例では、特に海外炭を購入する場合について、各ユーザ端末５ａ，５ｂ，５ｃ，５ｄ側からのデータ入力その他の操作、及び予め定められた時期等に基づいて行われる情報処理について、各ユーザ端末５ａ，５ｂ，５ｃ，５ｄに表示される画面の内容とともに説明する。
【００４２】
図６は、燃料部サーバ３にログオンしたユーザ端末（例えば、電力センタ）５ｃに表示された「メインメニュー画面（画面No.０００）」を示す。ユーザ端末５Ｃ側では、この画面に従って実行しようとする業務メニューを選択することができる。また、発電所に設置されたユーザ端末５ｄでは、選択可能な業務メニューを「２０．受払計画業務メニュー」と「３０．受払管理業務メニュー」に限定してもよい。
【００４３】
まず、ユーザ端末５ｃでは、海外炭の購入に関わる種々のコード情報を登録するため、「メインメニュー画面」において「９０．コード情報管理メニュー」を選択すると、図７に示した「コード情報管理メニュー画面（画面No.９００）」が表示される。ユーザ端末５ｃでは、この「コード情報管理メニュー画面」上にある適宜のコード情報管理登録画面を選択することができる。
【００４４】
図８は、「コード情報管理メニュー画面」から選択された「事業場情報登録画面（画面No.９１０）」を示す。ユーザ端末５ｃでは、この画面に従って、各事業場（発電所）について、名称、又は受払計画業務に使用する重油換算係数、或いは燃料方式、又は払出実績登録時に脱硫通過燃料を判定するための脱硫率等を登録することができる。そして、燃料部サーバ３の演算部２３は、この画面上で入力されるデータ又はその他の操作に基づいて、コード情報管理メニューを実行する（ステップ［以下、ＳＴと表記する］１）。具体的には、ユーザ端末５ｃ側から入力されるデータを情報格納部２１に格納する処理と、当該格納したデータをチェックするための登録データリストの出力（例えば、印刷又は画面表示など）を行う。この画面におけるデータの入力要領は次表のとおりである。
【００４５】
【表１】
2005301397.tif 000003
【００４６】
この表に記された“◎”は、初回入力時に必ず入力しなければならい項目であることを示しており、“△”は、任意入力項目であることを示している。また、この他にも、予め定めた時期（例えば、月締めの日）までに必ず入力しなければならない項目であることを示す“○”、及びデータの性格によっては必須入力項目となり得る項目であることを示す“□”の記号がある。さらに、入力不可項目の場合には“（空白）”になっている。
【００４７】
また、各ユーザ端末には、入力手段（例えば、キーボード及びボタン）が備えられており、例えば、キーボード上に配置された複数の“ＰＦ”キー（図示せず）のいずれかを押下することにより、所定の画面へ遷移したり、燃料部サーバ３の演算部２３によって所定の情報処理が行われるようになっている。
【００４８】
この“ＰＦ”キーには、各画面において共通の機能を果たすものとして、燃料部サーバ３への送信内容を取り消した後、同一業務画面の初期画面を表示するための“ＰＦ８”、前画面に戻るための“ＰＦ９”、次画面に移るための“ＰＦ１０”、送信内容を情報格納部２１に格納し、同一業務画面の初期画面を表示するための“ＰＦ１２”、及び送信内容を取り消した後、前メニュー画面を表示するための“ＰＦ１２”などが備えられている。
【００４９】
また、“ＰＦ１”〜“ＰＦ７”については、各画面の下部において、当該キーのいずれかと、これに対応する処理内容が表示されており、表示されたキーを押すことにより、対応する処理内容が実行されるようになっている。具体的には、このキー操作によって、送信内容を情報格納部２１に格納した後、画面下部に表示されたキーNo.に対応する画面に移ったり、送信内容を情報格納部２１に格納した後、画面下部に表示されたキーNo.に対応する帳票を出力する等の処理が行われるようになっている。図８の画面の場合、“ＰＦ１”を押せば、ユーザ端末５ｃの画面表示が「オンライン管理情報登録画面（画面No.９９０）」に遷移し、“ＰＦ３”を押せば、ユーザ端末５ｃの画面表示が「タンク情報登録画面（画面No.９２０）」に遷移することが表されている。
【００５０】
この「事業場情報登録画面」において、ユーザ端末５ｃ側から適宜のデータが入力され、「次の処理」を示すボタンが押下されたとき、燃料部サーバ３の演算部２３は、ネットワークを介してユーザ端末５ｃ側から入力されたコード情報を情報格納部２１に格納したり、ユーザ端末５ｃ側からの任意の求めに応じて、登録データリストを出力する（ＳＴ１）。
【００５１】
図９は、「コード情報管理メニュー画面」から選択された、又はデータ入力や“ＰＦ”キー操作に基づいて遷移した「船名情報登録画面（画面No.９７０）」を示す。この画面上で入力された船名や輸送機関名等の情報も、燃料部サーバ３側へ送信され、演算部２３によって情報格納部２１に格納されるとともに、ユーザ端末５ｃ側からの要求に応じて登録データリストを出力する（ＳＴ１）。この画面におけるデータの入力要領は次表のとおりである。
【００５２】
【表２】
2005301397.tif 000004
【００５３】
このコード情報管理メニューでは、上記の事業場情報及び船名情報のほかに、タンクNo.や貯蔵燃種等に関するタンク情報、取引先名称や燃料購入代金の支払先等に関する取引先情報、各燃料の発熱量や比重等に関する燃種情報、銘柄名称や品質等に関する銘柄情報、及び積地名称や外航保険料率等に関する積地情報など、必要に応じて各種のコード情報を登録することができる。
【００５４】
そして、ユーザ端末５ｃでは、上記のように各種のコード情報を登録した後、「メインメニュー画面（図６）」において「１０．契約管理業務メニュー」を選択すると、図１０に示した「契約管理メニュー画面（画面No.１００）」が表示される。
【００５５】
ユーザ端末５ｃでは、この画面に従って契約管理業務の適宜の画面No.及び新規登録や変更等の処理区分を指定することができる。また、燃料業務における重要事項として、契約単価の変更等があった場合には、契約時の単価と新単価との差額に基づいて、精算処理を行う必要がある。この場合、図の「契約管理メニュー画面」に示す、画面No.１１０，１１１，１２０，１３０，１４０，１５０，１７０の画面で精算処理を行うための新単価の登録を行うことができ、画面No.１１５，１２５，１３５，１４０，１５５，１７５の画面では、契約時又は直前に登録された単価と新単価との購入差額が表示され、これを確認することができるようにしておくことができる。そして、燃料部サーバ３の演算部２３は、契約単価の変更等があった場合において、ユーザ端末５ｃ等からの求め（データ入力その他の操作）があったときは、当該購入差額に基づいて、後述の精算処理を行うようになっている。
【００５６】
再びフローチャート（図５）に戻り、燃料部サーバ３の演算部２３は、ユーザ端末５ｃからのデータ入力その他の操作に基づいて、契約管理メニューを実行する（ＳＴ２）。具体的には、ユーザ端末５ｃ側から入力される情報を情報格納部２１に格納したり、契約単価の変更時などにおいて購入差額を求めたり、任意の求めに応じて登録内容を確認するための各種登録表、チェックリスト、及び各種帳票等の出力（例えば、印刷又は画面表示）を行う。
【００５７】
図１１は、「契約管理メニュー画面」から選択された「海外炭契約情報登録画面（画面No.１１０）」を示す。ユーザ端末５ｃでは、この画面に従って、海外炭購入契約にて定められた契約数量、価格、及び品質等を入力することができる。この画面上で入力された情報も、燃料部サーバ３の演算部２３によって、情報格納部２１に格納される（ＳＴ２）。この画面におけるデータの入力要領は次表のとおりである。
【００５８】
【表３】
2005301397.tif 000005
【００５９】
図１２は、「契約管理管理メニュー画面」から選択された、又はデータ入力や“ＰＦ”キー操作に基づいて遷移した「外航輸送情報登録画面（画面No.１２０）」を示す。ユーザ端末５ｃでは、この画面に従って、外航輸送契約にて定められた数量や価格等を、契約締結ごとに契約No.を付与して入力することができる。この画面上で入力された情報も、ネットワークを介して燃料部サーバ３側へ送られた後、演算部２３によって、情報格納部２１に格納される（ＳＴ２）。この画面におけるデータの入力要領は次表のとおりである。
【００６０】
【表４】
2005301397.tif 000006
【００６１】
この契約管理メニューでは、上記の海外炭契約情報及び外航輸送情報のほかに、海外炭購入契約に関わる実務委託契約にて定められた支払い項目や手数料率等に関する実務委託契約情報、中継基地或いは発電所における諸掛契約情報、海外炭を除く銘柄ごとの購入単価を月例処理・精算処理別に単価No.を付して登録されるＣＩＦ購入単価情報、ＬＮＧ銘柄別の契約先・支払先・数量・品質・単価等に関するＬＮＧ契約情報、及びＬＮＧの受入に際して発生する諸掛について対象銘柄別に登録される諸掛区分契約先単価等に関するＬＮＧ諸掛契約情報など、必要に応じて各種の契約情報を登録することができる。
【００６２】
また、燃料部サーバ３の演算部２３は、ユーザ端末５ｃからの要求（例えば、所定の“ＰＦ”キーの押下）に応じて、登録内容を確認するための各種登録表、チェックリスト、及び各種帳票等を出力する（ＳＴ２）。
【００６３】
次に、ユーザ端末５ｃでは、上記のように各種の契約情報を登録した後、「メインメニュー画面（図６）」において「２０．受払計画業務メニュー」を選択すると、図１３に示した「受払計画メニュー画面（画面No.２００）」が表示される。この画面右側に表示された“事業場コード”及び“燃料種別コード”は、コード情報管理メニュー（ＳＴ１）で登録されたものが表示されている。
【００６４】
ユーザ端末５ｃでは、この画面上で適宜のメニューを選択した後、表示された画面に従ってデータ入力その他の操作を行うことにより、石炭・燃料油等の受払計画の作成、配給調整、月末貯油予想、及び購入通知書・月次購入計画書等の各種帳票の作成を行うことができる。この画面におけるデータの入力要領は次表のとおりである。
【００６５】
【表５】
2005301397.tif 000007
【００６６】
再びフローチャート（図５）に戻り、燃料部サーバ３の演算部２３は、ユーザ端末５ｃからの受払計画に関するデータ入力その他の操作に基づいて、受払計画メニューを実行する（ＳＴ３）。具体的には、ユーザ端末５ｃ側から入力される情報を情報格納部２１に格納したり、任意の求めに応じて上記の各種帳票の出力等を行う。この各種帳票等は、ユーザ端末５ｃからの求めに応じて、ユーザ端末５ｃ側又は電力センタなど、適宜の場所で出力できるようにしておくのがよい。
【００６７】
図１４は、「受払計画メニュー画面」から選択された「石炭受払計画作成画面（画面No.２１０）」を示す。ユーザ端末５ｃでは、この画面上において、石炭火力発電所別の月別発電計画量に基づいて、石炭の受払計画を作成することができる。この画面上で入力された情報も、ネットワークを介して燃料部サーバ３側へ送られた後、演算部２３によって、情報格納部２１に格納される（ＳＴ３）。この画面におけるデータの入力要領は次表のとおりである。
【００６８】
【表６】
2005301397.tif 000008
【００６９】
図１５は、「受払計画メニュー画面」から選択された、又はデータ入力や“ＰＦ”キー操作に基づいて遷移した「Ｃ／Ｃ受払計画作成画面（画面No.２１２）」を示す。ユーザ端末５ｃでは、この画面に従って必要なデータを入力することにより、コールセンター別、銘柄別の受払・転送計画を作成することができる。この画面上で入力された情報も、ネットワークを介して燃料部サーバ３側へ送られた後、演算部２３によって、情報格納部２１に格納される（ＳＴ３）。この画面におけるデータの入力要領は次表のとおりである。
【００７０】
【表７】
2005301397.tif 000009
【００７１】
図１６は、「受払計画メニュー画面」から選択された、又はデータ入力や“ＰＦ”キー操作に基づいて遷移した「配給調整画面（画面No.２３０）」を示す。この画面では、予め登録したタンク別の受払計画（図示せず）に基づいて、日々適正な貯油・貯炭管理を行うため、燃料部サーバ３の情報格納部２１から必要な情報を受けて、燃料受入量が日単位で展開表示されるようになっている。この画面上で入力された情報（各種変更データ）も、ネットワークを介して燃料部サーバ３側へ送られた後、演算部２３によって、情報格納部２１に格納される（ＳＴ３）。この画面におけるデータの入力要領は次表のとおりである。
【００７２】
【表８】
2005301397.tif 000010
【００７３】
この受払計画メニューでは、上記の石炭受払計画作成、Ｃ／Ｃ受払計画作成、及び配給調整のほかに、発電所別の燃料購入量・転送計画数量等に関するＰＳ受入計画の作成、石油系（ガス含む）火力発電所別の月別発電計画量に基づくタンク別の受払計画（燃料油等受払計画）の作成、発電所別に作成された受払計画の集計したものの表示・印刷（燃料油等受払計画集計表）、発電所ごとの燃料油・ガスの取引先別の購入数量に関する取引先別購入計画の登録、配給調整された受入日・受入量について購入先・転送元等を関連付けた受入計画の作成や実績一覧の表示（受入計画実績一覧表）、日々の受払計画と実績を月単位で累計してタンク別に月末残高の予想の一覧表示（月末残高予想表）等を行うことができる。
【００７４】
また、ユーザ端末５ｃによって、受払計画メニュー画面（図１３）上で各種帳票出力のメニューが選択さたときは、燃料部サーバ３の演算部２３は、ユーザ端末５ｃ側の要求（例えば、所定の“ＰＦ”キーの押下）に応じて、購入通知書や月次購入計画書等の各種帳票を出力する（ＳＴ３）。
【００７５】
次に、ユーザ端末５ｃでは、上記のように各種の受払計画情報を登録した後、「メインメニュー画面（図６）」において「３０．受払管理業務メニュー」を選択すると、図１７に示した「受払管理メニュー画面（画面No.３００）」が表示される。
【００７６】
ユーザ端末５ｃでは、この画面に従って各受払管理業務画面を選択し、データの新規登録・変更・検索・削除の別を示す処理区分を選択することができる。また、各業務処理画面を選択することで画面表示が遷移し、表示された個別の画面に従って各種受払実績データを登録することができる。
【００７７】
再びフローチャート（図５）に戻り、燃料部サーバ３の演算部２３は、ユーザ端末５ｃからのデータ入力その他の操作に基づいて、受払管理メニューを実行する（ＳＴ４）。具体的には、ユーザ端末５ｃ側から入力される情報を情報格納部２１に格納したり、ユーザ端末５ｃからの求め（データ入力や所定の“ＰＦ”キー操作など）に応じて、入力データを確認するための各種データリスト、受払整理表、購入明細票等の各種帳票の出力（例えば、印刷又は画面表示）を行う。
【００７８】
図１８は、「受払管理メニュー画面」から選択された「海外炭検収数量等登録画面（画面No.３１０）」を示す。ユーザ端末５ｃでは、この画面に従って、海外炭の数量・品質等の積地測定値（Ｂ／Ｌ情報）及び揚地測定値（検収情報）を入力することができる。Ｂ／Ｌ情報は、把握できた時点で入力することができ、この場合には、“変更モード”にて行うようにすればよく、燃料部サーバ３の情報格納部２１に格納され、演算部２３による保険料率等の計算諸元とされる。また、“検収No.”が不明のときは、“ＰＦ６”キーに対応する「海外炭検収一覧表」にて確認することができる。この画面上で入力された情報も、燃料部サーバ３の演算部２３によって、情報格納部２１に格納される（ＳＴ４）。この画面におけるデータの入力要領は次表のとおりである。
【００７９】
【表９】
2005301397.tif 000011
【００８０】
図１９は、「受払管理メニュー画面」から選択された、又はデータ入力や“ＰＦ”キー操作に基づいて遷移した「海外炭検収金額登録画面（画面No.３１１）」を示す。この画面には、「海外炭検収数量等登録画面（図１８）」で入力された検収数量等に基づいて、燃料部サーバ３の演算部２３が海外炭の検収金額（ＦＯＢ，フレート，輸入諸掛など）を計算した結果が表示される。ユーザ端末５ｃ側では、演算部２３による当該計算の諸元となる為替レートや金利率等を入力することができるようになっている。また、表示された計算結果を訂正する場合には、金額を直接入力することができる。この画面上で入力された情報も、ネットワークを介して燃料部サーバ３側へ送られた後、演算部２３によって、情報格納部２１に格納される（ＳＴ４）。この画面におけるデータの入力要領を次表１０に、品質に関するデータの入力要領を次表１１に示す。
【００８１】
【表１０】
2005301397.tif 000012
【００８２】
【表１１】
2005301397.tif 000013
【００８３】
図２０は、「受払管理メニュー画面」から選択された、又はデータ入力や“ＰＦ”キー操作に基づいて遷移した「諸掛検収金額登録画面（画面No.３５０）」を示す。この画面には、諸掛契約情報及び検収・転送情報に基づいて自動的に発生した諸掛の金額の計算結果が表示される。ユーザ端末５ｃ側では、表示金額の訂正を行うときは、訂正後の金額を入力することができるようになっている。この画面上で入力された情報も、ネットワークを介して燃料部サーバ３側へ送られた後、演算部２３によって、情報格納部２１に格納される（ＳＴ４）。この画面におけるデータの入力要領は次表のとおりである。
【００８４】
【表１２】
2005301397.tif 000014
【００８５】
図２１は、「受払管理メニュー画面」から選択された、又はデータ入力や“ＰＦ”キー操作に基づいて遷移した「払出数量登録画面（画面No.３７０）」を示す。ユーザ端末５ｃ側では、この画面に従って、日々の石炭消費払出実績データを入力することができる。この画面上で入力された情報も、ネットワークを介して燃料部サーバ３側へ送られた後、演算部２３によって、情報格納部２１に格納される（ＳＴ４）。この画面におけるデータの入力要領は次表のとおりである。
【００８６】
【表１３】
2005301397.tif 000015
【００８７】
この受払管理メニューでは、上記の海外炭購入に際し、検収数量・検収金額・諸掛検収金額・払出数量の登録のほかに、燃料の事業場間の転送や同一事業場内でのタンク間の移送の内容を入力する「転送登録」、購入・振替受入以外の受入の内容を入力する「その他受入登録」、燃料のたな卸補正量や補正金額を入力する「たな卸登録」、及び発電用・雑用消費・転送払出以外の例外的な払出の内容を入力する「その他払出登録」等を行うことができる。また、上記の海外炭を購入する場合のほかに、燃料油やＬＮＧを購入する場合にも、海外炭と同様に受払管理情報を登録することができる。
【００８８】
再びフローチャート（図５）に戻り、燃料部サーバ３の演算部２３は、予め定めた時期に至ったか否かを判別する（ＳＴ５）。この“時期”は、例えば、毎月末又は毎月２５日など、発電所や取引先等の諸事情に合わせて設定することができる。実施例では、当該時期を「毎月２５日」とする場合について説明する。
【００８９】
ＳＴ５の判別が“ＮＯ”、即ち当日の日付が「２５日」ではない場合、演算部２３は、精算処理を行う必要があるか否かを判別する（ＳＴ６）。精算処理の必要が生ずる場合は、例えば、契約単価の変更等があった場合など、契約時の単価と新単価との間に差額が生じた場合である。具体的には、演算部２３は、契約管理メニュー（ＳＴ２）を実行する際に、ユーザ端末５ｃ側から、画面No.１１０（図１１），１１１，１２０（図１２），１３０，１４０，１５０，１７０の画面上で精算処理を行うための新単価の入力があったか否か、又は当該新単価に関する情報が受払実績情報として情報格納部２１に格納されているか否かを判別することによって、当該精算処理の必要性を判別することができる。
【００９０】
ＳＴ６の判別が“ＮＯ”、即ち上記精算処理を行う必要がない場合には、再びコード情報管理メニューの実行（ＳＴ１）へ移り、上記のようにＳＴ１〜ＳＴ５の処理を繰り返す。ここで、検収数量・検収金額・諸掛検収金額・払出数量の入力は頻繁に行われるため、例えば、これが毎日行われる場合には、演算部２３は、ＳＴ４〜ＳＴ６の処理を毎日繰り返すことになる。これにより、日々入力される受払実績情報が情報格納部２１内に蓄積される。また、ＳＴ１〜ＳＴ３の処理は、ユーザ端末５ｃ側からのデータ入力等がなければ、省略することができる。
【００９１】
一方、ＳＴ５の判別が“ＹＥＳ”、即ち当月の「２５日」に至ったときは、演算部２３は、定期処理を実行する（ＳＴ７）。具体的には、次の処理を行う。
【００９２】
(1)当月に各ユーザ端末５ａ，５ｂ，５ｃ，５ｄから入力されたデータ等のチェックリスト及び受払整理表の作成
(2)燃料代金、諸掛代金の計算書の作成
(3)貯蔵品の受払計算に基づく貯蔵品台帳等の作成
(4)会計整理・支払手続処理に基づく自動振替データの作成
(5)情報格納部２１内にある資産管理情報の記録、更新処理
(6)上記(5)で更新された情報に基づく受払数量・品質等の管理資料の作成。
【００９３】
上記(3)の貯蔵品台帳等に記載される情報には、受払実績に基づいて算出された当月２５日における貯蔵燃料の資産（残高）に関する情報が含まれる。具体的には、貯蔵燃料の数量及び資産額等であり、この情報は、資産管理情報として上記(5)の処理で情報格納部２１に格納される。
【００９４】
また、出力される帳票等の一例を以下に示す。
【００９５】
(1)検収結果に基づき計上・支払の債務額を把握し、支払分は通知書として契約先へ送付するための「購入燃料代計算書」と「諸掛計算書」
(2)科目別・取引先別の債務の計上・支払の経過を記録して債務の確認を行うための「買掛金元帳」
(3)上記(2)の元帳の燃種別明細表である「買掛金元帳内訳表」
(4)各期末の科目、取引先別の買掛金残高を出力し、債務の確認を行うための「契約先別買掛金残高一覧表」
(5)燃種ごとの貯蔵品の受入・払出・転送、及び残高の数量・資産額・品質を記録して管理する燃料資産管理上の基本帳票である「貯蔵品台帳」
(6)ＬＮＧの貯蔵品の受入・払出・転送、及び残高の数量・資産額・品質を記録して管理する燃料資産管理上の基本帳票である「貯蔵品台帳−ＬＮＧ」
(7)前月確定後にデータ修正した場合に、前月分の台帳との差額を記録する「前月修正明細」
(8)購入単価の変更に伴う購入・払出差額の内訳を表示し、かつ精算後の内訳表となる「精算総括表」
(9)たな卸損益の純額を算出するまでの科目別の経過を記録する会計補助帳票
(10)受払項目別・Ｐ／Ｓ別の数量・品質・金額の集計表、及び燃料受払の管理資料となる「貯蔵品受払実績表」
(11)上記(10)の「貯蔵品受払実績表」を集約して重換数量の計算結果が表され、かつ報告資料として利用可能な「燃料受払総括表」
(12)海外炭の購入実績数量及び単価の推移を一覧表示して、契約履行状況を管理するための「海外炭入着実績表（外航受入分）」
(13)購入燃料の数量・品質・金額について発注実績と受入実績並びに分析結果を記録する管理資料である「購入燃料分析実績表（Ｐ／Ｓ別、取引先別、月別、累計）」
(14)ＬＮＧの購入実績数量・金額の管理資料である「ＬＮＧ購入実績表（総括）」
(15)上記(14)の「ＬＮＧ購入実績表」の月別・銘柄別の諸掛単価及び金額の管理資料である「ＬＮＧ購入実績表（諸掛内訳）」
(16)発電所における受入燃料の品質分析結果の一覧表である「受入試験成績表（石炭、燃料油、ＬＰＧ、ＬＮＧ）」
(17)内航保険付保のため、月間の輸送額を保険会社へ通知するための「期間建貨物海上保険輸送額通知書」
(18)輸送額通知書に記載された輸送額に対する保険料を計算表示し、保険会社からの保険料通知書の内容と照合するための「内航保険料計算書」
(19)官庁報告用の「発受電月報」のうち汽力発電所用燃料消費実績及び内燃力発電所用燃料消費実績に関する部分
(20)燃料購入代金、諸掛代金の消費税を取引先に通知するための「消費税計算書」。
【００９６】
再び、フローチャート（図５）に戻り、ＳＴ６の判別が“ＹＥＳ”の場合、即ち精算処理を行う必要がある場合には、演算部２３は、精算処理を実行する（ＳＴ８）。具体的には、ユーザ端末５ｃ側で「メインメニュー（図６）」から図２２に示す「集計処理コントロール画面（画面No.８００）」が選択され、このコントロール画面上で該当項目（対象期間や費目など）に入力されたデータが、精算情報として燃料部サーバ３側へ送られ、演算部２３によって情報格納部２１に格納される。演算部２３は、当該精算情報に基づいて精算処理の対象となるデータを特定することができる。この画面におけるデータの入力要領は次表のとおりである。
【００９７】
【表１４】
2005301397.tif 000016
【００９８】
精算処理を行う場合、ユーザ端末５ｃ側では、予め「契約管理メニュー画面（図１０）」に示す画面No.１１０（図１１），１１１，１２０（図１２），１３０，１４０，１５０，又は１７０の画面で精算処理を行うための新単価を入力してあるので、画面No.１１５，１２５，１３５，１４０，１５５，又は１７５の画面上で、契約時又は直前に登録された単価と新単価との購入差額を確認することができる。
【００９９】
図２３は、画面No.１１５の「ＦＯＢ代金精算処理画面」を示す。この画面では、画面No.１１０の「海外炭契約情報登録画面（図１１）」にて入力された精算処理用の新単価（変更後の単価など）に基づいて、精算金額（例えば、購入差額）が計算表示されるようになっている。この計算は、燃料部サーバ３の演算部２３が行った後、計算結果をユーザ端末５ｃ側へ送るようにしてもよいし、ユーザ端末５ｃ自体が求めるようにすることも可能である。また、この画面では、精算金額を円貨で求めるため、適用為替レートを入力することができるようになっている。さらに、計算表示された金額を訂正して別の金額を入力すれば、これが優先されるようになっている。この画面における入力要領は次表のとおりである。
【０１００】
【表１５】
2005301397.tif 000017
【０１０１】
図２４は、画面No.１２５の「外航運賃精算処理画面」を示す。この画面でも、画面No.１２０の「外航輸送情報登録画面（図１２）」にて入力された精算処理用の新単価に基づいて計算表示された外航フレートの精算金額（例えば、差額）を確認することができる。また、この画面では、バンカー精算及び異常滞船料についても入力することができる。さらに、外航フレート精算及びバンカー精算については、精算額を円貨で求めるため、適用為替レートを入力することができるようになっている。この画面における入力要領は次表のとおりである。
【０１０２】
【表１６】
2005301397.tif 000018
【０１０３】
そして、燃料部サーバ３の演算部２３は、ユーザ端末５ｃから入力された精算情報を受けたとき、当該精算データに基づいて、支払代金の過不足など、必要に応じて精算処理を行う（ＳＴ８）。具体的には、購入単価の変更等に伴って、契約管理メニューにて新単価が入力され、これに基づく精算処理を行う場合には、次の処理を実行する。
【０１０４】
(1)受払実績情報に含まれる当該期間の検収実績データを情報格納部２１から取り出し、新旧価格差に基づく購入差額の計算を行う
(2)精算処理対象期間の受払について遡及計算を行う
(3)前述の定期処理（ＳＴ７）に準じた関係帳票の出力、及び会計自動為替データの作成を行う。
【０１０５】
上記(3)の処理では、(1)の購入差額に基づく貯蔵燃料の残高（数量、資産額、及び品質など）の算出も行われることにより、購入差額が生じても的確に貯蔵燃料資産を管理することができる。
【０１０６】
また、販売数量の変更に伴う精算処理を行う場合には、次の処理を実行する。
【０１０７】
(1)受払実績情報に含まれる当該期間の販売実績データを情報格納部２１から取り出し、新旧数量差に基づく販売差額の計算を行う。
【０１０８】
(2)精算処理対象期間の払出について遡及計算を行う。
【０１０９】
(3)前述の定期処理（ＳＴ７）に準じた関係帳票の出力、及び会計自動振替データの作成を行う。
【０１１０】
上記(3)の処理では、(1)の販売差額に基づく貯蔵燃料の残高（数量、資産額、及び品質など）の算出も行われることにより、販売差額が生じても的確に貯蔵燃料資産を管理することができる。
【０１１１】
そして、再びＳＴ１に移り、上記ＳＴ１〜ＳＴ８の処理を繰り返すことによって、燃料業務を遂行することができる。
【０１１２】
この燃料業務処理システム１では、燃料部サーバ３の演算部２３は、各ユーザ端末５ａ，５ｂ，５ｃ，５ｄからの任意の要求に応じて、必要な情報を情報格納部２１から取り出した後、予め情報格納部２１内に用意しておいた様式に当該情報を入力して、官公庁等へ提出するための各種資料を自動的に作成することもできる。
【図面の簡単な説明】
【０１１３】
【図１】実施例の燃料業務処理システムの構成を示す図。
【図２】実施例の燃料業務処理システムにおける主な情報の流れを示す図。
【図３】ユーザ端末に表示される画面の構成と遷移を示す図。
【図４】図３に続く画面構成図。
【図５】実施例の燃料業務処理プログラムによる処理のメインフローチャートを示す図。
【図６】「メインメニュー画面」を示す図。
【図７】「コード情報管理メニュー画面」を示す図。
【図８】「事業場情報登録画面」を示す図。
【図９】「船名情報登録画面」を示す図。
【図１０】「契約管理メニュー画面」を示す図。
【図１１】「海外炭契約情報登録画面」を示す図。
【図１２】「外航輸送情報登録画面」を示す図。
【図１３】「受払計画メニュー画面」を示す図。
【図１４】「石炭受払計画作成画面」を示す図。
【図１５】「Ｃ／Ｃ受払計画作成画面」を示す図。
【図１６】「配給調整画面」を示す図。
【図１７】「受払管理メニュー画面」を示す図。
【図１８】「海外炭検収数量等登録画面」を示す図。
【図１９】「海外炭検収金額登録画面」を示す図。
【図２０】「諸掛検収金額登録画面」を示す図。
【図２１】「払出数量登録画面」を示す図。
【図２２】「集計処理コントロール画面」を示す図。
【図２３】「ＦＯＢ代金精算処理画面」を示す図。
【図２４】「外航運賃精算処理画面」を示す図。
【符号の説明】
【０１１４】
１…燃料業務処理システム、３…燃料部サーバ、５ａ，５ｂ，５ｃ，５ｄ…ユーザ端末、７…経理部サーバ、９…火力部サーバ、１１…系統運用部サーバ。
【図１】
2005301397.tif 000019
【図２】
2005301397.tif 000020
【図３】
2005301397.tif 000021
【図４】
2005301397.tif 000022
【図５】
2005301397.tif 000023
【図６】
2005301397.tif 000024
【図７】
2005301397.tif 000025
【図８】
2005301397.tif 000026
【図９】
2005301397.tif 000027
【図１０】
2005301397.tif 000028
【図１１】
2005301397.tif 000029
【図１２】
2005301397.tif 000030
【図１３】
2005301397.tif 000031
【図１４】
2005301397.tif 000032
【図１５】
2005301397.tif 000033
【図１６】
2005301397.tif 000034
【図１７】
2005301397.tif 000035
【図１８】
2005301397.tif 000036
【図１９】
2005301397.tif 000037
【図２０】
2005301397.tif 000038
【図２１】
2005301397.tif 000039
【図２２】
2005301397.tif 000040
【図２３】
2005301397.tif 000041
【図２４】
2005301397.tif 000042